(57)【要約】【課題】濾過装置の組立時の濾過体の内周面の傷等の発生の防止や濾過体の交換時の洗浄性の向上を図ると共に濾過体の目詰まりに伴う寿命を向上させる手段を提供する。【解決手段】底板を有する外筒と、底板の反対側の開口部に取付けられた押え蓋と、底板と押え蓋の間に外筒の軸芯に沿って配置された心棒と、外筒の内周面と心棒の外周面の間に配置された円筒状の濾過体と、底板と押え蓋の濾過体側に形成され、濾過体の上面および下面のそれそれに食込むリング状の食込み爪とを備えた濾過装置において、心棒の外周面の円周方向の４箇所に十字型に取付けられ、その先端が濾過体の内周面に接触する樹脂製の保持ステーを設け、この保持ステーを底板と押え蓋の軸方向の近傍および底板と押え蓋との間の軸方向の中央部にそれぞれ配置し、経時変化による濾過体の膨潤変形による食込み爪の濾過体からの外れを防止して濾過清浄度の品質維持を図る。【選択図】        図１
2007111594.tif 000002
【特許請求の範囲】
【請求項１】
底板を有する外筒と、前記底板の反対側の開口部に取付けられた押え蓋と、前記底板と押え蓋の間に前記外筒の軸芯に沿って配置された心棒と、前記外筒の内周面と心棒の外周面の間に配置された円筒状の濾過体と、前記底板と押え蓋の前記濾過体側に形成され、前記濾過体の上面および下面のそれそれに食込むリング状の食込み爪とを備えた濾過装置において、
前記心棒の外周面の円周方向の少なくとも３箇所に取付けられ、その先端が前記濾過体の内周面に接触する樹脂製の保持ステーを設け、該保持ステーを前記底板と押え蓋の軸方向の近傍および前記底板と押え蓋との間の軸方向の中央部にそれぞれ配置したことを特徴とする濾過装置。
【請求項２】
請求項１において、
前記保持ステーが、円柱状であることを特徴とする濾過装置。
【請求項３】
請求項１において、
前記保持ステーを、円周方向の４箇所に十字型に取付けたことを特徴とする濾過装置。
【発明の詳細な説明】
【技術分野】
【０００１】
本発明は、円筒状の濾過体を用いて流体を濾過する濾過装置に関する。
【背景技術】
【０００２】
従来の濾過装置は、外筒の底板に軸芯に沿って底板から押え蓋に至る心棒を溶接またはねじ締結し、合成樹脂繊維等からなる円筒状の濾過体を、その上面および下面を底板と押え蓋にそれぞれリング状に形成された食込み爪に食込ませて設置し、心棒に溶接した軸方向に伸長するガイドブレードに濾過体の内周面を接触させて濾過体を組立て、外筒側から流入した流体を濾過体で濾過した後に心棒側から流出させている（例えば、特許文献１参照。）。
【特許文献１】特開平７−１６３８１０号公報（第４頁段落００１２および段落００１７、第１図）
【発明の開示】
【発明が解決しようとする課題】
【０００３】
しかしながら、上述した従来の技術においては、心棒に溶接した軸方向に伸長するガイドブレードに濾過体の内周面を接触させているため、濾過体の内周面に占めるガイドプレートの接触面積が大きくなり、濾過体の濾過面積が減少して濾過体の目詰まりに伴う寿命を低下させるという問題がある。
また、心棒に金属製のガイドブレードを溶接して合成樹脂繊維等からなる濾過体の外筒への挿入をガイドしているため、挿入時に濾過体の内周面を傷つけることがあり、濾過体の濾過性能を低下させる虞があるという問題がある。
【０００４】
更に、底板に心棒を溶接した場合には、濾過体の交換時に心棒に溶接されているガイドブレードの底板側等に付着した異物の洗浄が困難であるという問題がある。
本発明は、上記の問題点を解決するためになされたもので、濾過装置の組立時の濾過体の内周面の傷等の発生の防止や濾過体の交換時の洗浄性の向上を図ると共に濾過体の目詰まりに伴う寿命を向上させる手段を提供することを目的とする。
【課題を解決するための手段】
【０００５】
本発明は、上記課題を解決するために、底板を有する外筒と、前記底板の反対側の開口部に取付けられた押え蓋と、前記底板と押え蓋の間に前記外筒の軸芯に沿って配置された心棒と、前記外筒の内周面と心棒の外周面の間に配置された円筒状の濾過体と、前記底板と押え蓋の前記濾過体側に形成され、前記濾過体の上面および下面のそれそれに食込むリング状の食込み爪とを備えた濾過装置において、前記心棒の外周面の円周方向の少なくとも３箇所に取付けられ、その先端が前記濾過体の内周面に接触する樹脂製の保持ステーを設け、該保持ステーを前記底板と押え蓋の軸方向の近傍および前記底板と押え蓋との間の軸方向の中央部にそれぞれ配置したことを特徴とする。
【発明の効果】
【０００６】
これにより、本発明は、保持ステーにより濾過体の内周面をガイドする際の傷等の発生を防止して濾過体を適正な位置に設置することができると共に、濾過体の内周面に占める接触面積を小さくして濾過面積を増加させることができ、濾過体の目詰まりに伴う寿命を向上させることができるという効果が得られる。
また、交換時に保持ステーに異物が付着しても、心棒に圧入された保持ステーの配置は空間が大きい構造となっているので、異物を容易に視認することができと共に、容易に洗浄することができるという効果が得られる。
【０００７】
更に、経時変化による濾過体の膨潤変形による食込み爪の濾過体からの外れを防止して濾過清浄度の品質維持を図ることができるという効果が得られる。
【発明を実施するための最良の形態】
【０００８】
以下に、図面を参照して本発明による濾過装置の実施例について説明する。
【実施例】
【０００９】
図１は実施例の濾過装置を示す断面図、図２は図１のＡ−Ａ断面線に沿った断面図である。
図１において、１は濾過装置である。
２は濾過体であり、合成樹脂の樹脂結合構造で形成された５μｍ以上の塵埃やファイバー等の異物を除去するハードタイプ、または合成樹脂繊維等からなるシートを用いた１μｍ程度の異物を除去するプリーツ構造タイプ等の図１に網掛けで示す円筒状のフィルタであって、後述する外筒３の内周面と心棒６の外周面の間に配置され、外周面から内周面に向かって半径方向に通過する流体に含まれる異物を除去して流体を濾過する機能を有している。
【００１０】
３は外筒であり、ステンレス等の鋼材で製作された円筒部材であって、その一方の開口部に底板４が一体に形成され、反対側の開口部には押え蓋５が取付けられる。
なお、底板４を別体として溶接等により外筒３の一方の開口部に設置するようにしてもよい。
６は心棒であり、ステンレス等の鋼材で製作された棒状部材であって、両端部にねじ部が形成されており、一端のねじ部が底板４の中心部に形成されたねじ穴に締結されて固定され、底板４と押え蓋５の間に外筒３の軸芯ＣＬに沿って配置される。
【００１１】
７は流入通路であり、押え蓋５の側面に流入口７ａを有し、流入口７ａから流入した濾過前の流体を外筒３の内周面と濾過体２の外周面との間に導く通路である。
８は流出通路であり、濾過体２を通過して濾過体２の内周面と心棒６の外周面との間に流入した濾過後の流体を押え蓋５の側面に形成された流出口８ａに導く通路である。
１０は食込み爪であり、底板４と押え蓋５の濾過体２側の面にそれそれ形成された略直角三角形断面を有するリング状部材であって、その頂部が濾過体２の上面２ａおよび下面２ｂに食込んで濾過体２を支持すると共に、濾過体２の外周面側と内周面側とをシールする機能を有している。
【００１２】
１１は締付ナットであり、心棒６の他端のねじ部に螺合する袋ナットであって、押え蓋５を締付けて食込み爪１０の頂部を濾過体２の上面２ａおよび下面２ｂに食込ませる機能および外筒３の端部と押え蓋５の下面との間および締付ナット１１の座面とその押え板５の締付座との間に間装されたガスケット１２ａ、１２ｂを締付ける機能を有している。
１５は保持ステーであり、ポリテトラフルオロエチレン等の耐油性有する樹脂材料からなる円柱部材であって、図２に示すように心棒６の外周面の円周方向に９０度等分に設けられた嵌合穴１６にその弾性により嵌め込まれて十字型に取付けられており、その先端１５ａは濾過体２の内周面に接触し、組立時に先端１５ａにより濾過体２の内周面をガイドする機能および流体の濾過時に濾過体２の内周面を保持する機能を有している。
【００１３】
また、十字型に圧入された保持ステー１５は、底板４と押え蓋５の軸方向の近傍および底板４と押え蓋５との間の軸方向の中央部の３箇所に配置される。
上記の構成の作用について説明する。
濾過装置１を組立てる場合は、心棒６の嵌合穴１６に保持ステー１５を嵌め込んで装着し、保持ステー１５を装着した心棒６の一端のねじ部を外筒３の底板４のねじ穴に締結して固定し、保持ステー１５の先端１５ａに濾過体２の内周面をガイドさせて濾過体２の下面２ｂを底板４の食込み爪１０の頂部に載置する。
【００１４】
このとき、保持ステー１５は樹脂製であるので、濾過体２の内周面をガイドする際に引っかけ傷等を生じさせることはない。
また、保持ステー１５により内周面をガイドして濾過体２を外筒３に挿入し、挿入後に底板４および押え蓋５の近傍で濾過体２を保持するので、濾過体２に位置ずれが生じることがなく、適正な位置に載置される。
【００１５】
そして、外筒３の端部にガスケット１２ａを介して押え蓋５を載置し、押え蓋６の上面にガスケット１２ｂを装着し、心棒６の他端のねじ部に締付ナット１１を締め込んで底板４と押え蓋５の食込み爪１０の頂部を濾過体２の上面２ａおよび下面２ｂに食込ませると共に、外筒３の端部と押え蓋５の下面との間および締付ナット１１の座面とその締付座との間に間装されたガスケット１２ａ、１２ｂを締付ける。
【００１６】
これにより、濾過体２の外周面側と内周面側が隔絶されると共に、濾過装置１から外部への流体の洩れが防止される。
このようにして濾過装置１が組立てられ、内周面を保持ステー１５にガイドされて外筒３の軸芯ＣＬと略同軸に設置された濾過体２は、その上面２ａおよび下面２ｂを食込み爪１０に支持され、その内周面を保持ステー１５に保持された状態で外筒３の内周面と心棒６の外周面との間に設置される。
【００１７】
このような濾過装置１は、流体を循環させる配管路の途中に流入口７ａのねじ部と流出口８ａのねじ部により取付けられ、上流の配管から流入口７ａに流入した異物を含む濾過前の流体が流入通路７により外筒３の内周面と濾過体２の外周面との間に導かれ、濾過体２を半径方向に通過するときに濾過体２により異物が除去され、濾過体２の内周面と心棒６の外周面との間に流入した濾過後の流体は、流出通路８に導かれて流出口８ａから下流の配管中に流出する。
【００１８】
このとき、保持ステー１５は濾過体２の内周面に略点で接触（本実施例では１２点で接触）しているので、保持ステー１５の接触面積を小さくして濾過体２の濾過面積を増大させることができる。
また、保持ステー１５は円柱状であるので、濾過後の流体の流れの管路抵抗を増大させることがなく、キャビテーション等で流量を大きく減少させることもない。
【００１９】
更に、使用中に経時変化により流体の溶解力で濾過体２が膨潤変形した場合においても、保持ステー１５により濾過体２の中央部を保持して濾過体２の大曲りを防止すると共に底板４と押え蓋５の近傍に配置された保持ステー１５が濾過体２の上面２ａおよび下面２ｂの半径方向の位置ずれを防止するので、膨潤に伴う濾過体２の変形を最小限とすることができ、濾過体２の上面２ａおよび下面２ｂの食込み爪１０の食込み部の破損や濾過体からの外れを防止して濾過前の流体が流入することがなく、濾過清浄度の品質を維持することができる他、濾過体２の外周面が外筒３の内周面に接触することがないので、濾過体２の濾過面積を有効に利用することができ、当初想定した寿命を確実に維持することができる。
【００２０】
更に、保持ステー１５は心棒６の嵌合穴１６に圧入されているので、濾過後の流体の流れによって位置ずれが生じることはなく、濾過体２の交換時に変形等した濾過体２が保持ステー１５に引掛って抜取れなくなったとしても保持ステー１５の圧入部が外れて濾過体２を容易に抜取ることができると共に、補修時の保持ステー１５の再圧入を容易に行うことができる。
【００２１】
更に、保持ステー１５が樹脂材料で形成されているので、錆が発生することはなく、濾過後の流体へ錆が混入することはない。
更に、交換時に保持ステー１５に異物が付着しても、心棒６に圧入された保持ステー１５の配置は空間が大きい構造となっているので、異物を容易に視認することができと共に、容易に洗浄することができる。
【００２２】
なお、本実施例では、保持ステー１５を心棒６の外周面の円周方向に４箇所等分に配置するとして説明したが、保持ステー１５は３箇所等分であってもよい。このようにすれば濾過体２の濾過面積を更に増加させることができると共に、管路損失の更なる低減を図ることが可能になる。
また、保持ステー１５の形状は円柱状に限らず、板状であってもよい。要は濾過後の流体の流れを妨げない形状であればどのような形状であってもよい。
【００２３】
更に、保持ステー１５は、底板４と押え蓋５の間の軸方向の中央部および底板４と押え蓋５の近傍の３箇所に設置するとして説明したが、保持ステー１５を設置する軸方向の位置は前記に限らず、前記の箇所を含んでいれば何箇所であってもよい。要は濾過面積が減少しすぎないことに配慮して適宜に定めればよい。
この場合に、底板４や押え蓋５の軸方向の近傍に設ける保持ステー１５は、底板４と押え蓋５との間の距離の１０％以内の範囲に設置するとよい。この範囲に保持ステー１５を設置すれば、濾過体２の上面２ａと下面２ｂとに食込み爪１０が食い込むときの位置ずれを確実に防止することができる。
【００２４】
以上説明したように、本実施例では、樹脂製の保持ステーを心棒の円周方向の少なくとも３箇所に圧入し、これを軸方向の底板と押え蓋の近傍および中央部に配置したことによって、保持ステーにより濾過体の内周面をガイドする際の傷等の発生を防止して濾過体を適正な位置に設置することができると共に、濾過体の内周面に占める接触面積を小さくして濾過面積を増加させることができ、濾過体の目詰まりに伴う寿命を向上させることができる他、交換時に保持ステーに異物が付着しても、心棒に圧入された保持ステーの配置は空間が大きい構造となっているので、異物を容易に視認することができと共に、容易に洗浄することができる。
【００２５】
また、保持ステーを底板と押え蓋の近傍および中央部に配置したので、経時変化による濾過体の膨潤変形による食込み爪の濾過体からの外れを防止して濾過清浄度の品質維持を図ることができる。
更に、保持ステーを円柱状にしたことによって、濾過後の流体の流れの管路抵抗の減少を図ることができると共に、キャビテーション等の発生を防止して処理流量の増大を図ることができる。
【００２６】
更に、保持ステーを十字型に圧入するようにしたことによって、濾過体の半径方向への逃げの自由度を少なくして（いただいた資料には「極力多く」となっていなしたが、文面からすると「少なく」ではないかと考えました。間違いであれば修正いたしますので再度ご指示をお願いします。）濾過体の位置ずれを確実に防止することができる。
なお、本実施例においては、心棒６の円周方向の４箇所に設けた嵌合穴１６に４本の保持ステー１５を圧入するとして説明したが、図３、図４の他の形態に示すように嵌合穴１６を心棒６を直径方向に貫通する２つの貫通穴とし、２つの貫通穴の互いの交差を避けるために軸方向に位置をずらせて直交するように形成し、この貫通穴に２本の長い保持ステー１５を圧入するようにしてもよい。このようにすれば保持ステー１５を嵌合する嵌合穴１６を容易に加工することができる。
【図面の簡単な説明】
【００２７】
【図１】実施例の濾過装置を示す断面図
【図２】図１のＡ−Ａ断面線に沿った断面図
【図３】実施例の保持ステーの他の形態を示す断面図
【図４】図３のＢ−Ｂ断面線に沿った断面図
【符号の説明】
【００２８】
１    濾過装置
２    濾過体
２ａ  上面
２ｂ  下面
３    外筒
４    底板
５    押え蓋
６    心棒
７    流入通路
７ａ  流入口
８    流出通路
８ａ  流出口
１０  食込み爪
１１  締付ナット
１２ａ、１２ｂ  ガスケット
１５  保持ステー
１５ａ  先端
１６  嵌合穴
【図１】
2007111594.tif 000003
【図２】
2007111594.tif 000004
【図３】
2007111594.tif 000005
【図４】
2007111594.tif 000006